(57)【要約】【課題】パチスロ機からメダルを貸し出す場合に、円滑かつ効率的にメダル貸しを行うことを課題とする。【解決手段】モード管理部２１６が貸出禁止モード３１０、貸出準備モード３２０、貸出処理モード３３０という３つの状態（モード）を管理し、クレジットが０でない状況で貸出ボタン１０１が押下された場合には、かかる行為を貸出準備行為とみなして貸出禁止モード３１０から貸出準備モードに移行させ、クレジットが０となった時点で直ちに貸出処理モード３３０にさらに移行させる。【選択図】        図３
2006192198.tif 000002
【特許請求の範囲】
【請求項１】
パチスロ機に設けられたメダルを貯留するクレジット機構のクレジット残数が零である場合に、該パチスロ機と通信可能に併設されたメダル貸し機が度数若しくはメダル数を特定可能な情報が記憶された記録媒体を受け付けてメダル貸出処理を行い、このメダル貸出処理に応答して前記パチスロ機からメダルを貸し出すメダル貸出システムであって、
前記メダル貸し機は、
前記クレジット残数が零でない状態で前記パチスロ機に配設された貸出ボタンが操作された場合に、該貸出ボタンの操作を事前貸出予約行為とみなして装置内部の状態を貸出禁止状態から貸出準備状態に移行制御する制御手段と、
前記クレジット残数が零となった時点で前記貸出準備状態である場合に、メダル貸出処理を行う貸出処理手段と
を備えたことを特徴とするメダル貸出システム。
【請求項２】
前記制御手段は、前記パチスロ機に設けられた返却ボタンが操作された場合に、前記記録媒体を返却処理するとともに前記貸出準備状態から前記貸出禁止状態に移行制御することを特徴とする請求項１に記載のメダル貸出システム。
【請求項３】
パチスロ機に設けられたメダルを貯留するクレジット機構のクレジット残数が零である場合に、該パチスロ機に併設されたメダル貸し機が貨幣投入を受け付けてメダル貸出処理を行い、このメダル貸出処理に応答して前記パチスロ機からメダルを貸し出すメダル貸出システムであって、
前記メダル貸し機は、
前記クレジット残数が零でない状態で貨幣挿入口に貨幣が投入された場合に、該貨幣の投入行為を事前貸出予約行為とみなして装置内部の状態を貸出禁止状態から貸出準備状態に移行制御する制御手段と、
前記クレジット残数が零となった時点で前記貸出準備状態である場合に、メダル貸出処理を行う貸出処理手段と
を備えたことを特徴とするメダル貸出システム。
【請求項４】
前記制御手段は、前記貸出準備状態においては、前記貨幣挿入口に挿入された貨幣を返却可能な状態で一時保留するよう制御するとともに、所定の返却ボタンが操作された場合に、一時保留した貨幣を返却処理するとともに前記貸出準備状態から前記貸出禁止状態に移行制御することを特徴とする請求項３に記載のメダル貸出システム。
【請求項５】
前記制御手段は、前記貸出準備状態においては、前記パチスロ機によりメダルが貸し出された時点で、前記貸出準備状態から前記貸出禁止状態に移行制御することを特徴とする請求項１又は３に記載のメダル貸出システム。
【請求項６】
パチスロ機に設けられたメダルを貯留するクレジット機構のクレジット残数が零である場合に、該パチスロ機と通信可能に併設されたメダル貸し機が度数若しくはメダル数を特定可能な情報が記憶された記録媒体を受け付けてメダル貸出処理を行い、このメダル貸出処理に応答して前記パチスロ機からメダルを貸し出すメダル貸出方法であって、
前記メダル貸し機が、前記クレジット残数が零でない状態で前記パチスロ機に配設された貸出ボタンが操作された場合に、該貸出ボタンの操作を事前貸出予約行為とみなして装置内部の状態を貸出禁止状態から貸出準備状態に移行制御する制御工程と、
前記クレジット残数が零となった時点で前記貸出準備状態である場合に、メダル貸出処理を行う貸出処理工程と
を含んだことを特徴とするメダル貸出方法。
【請求項７】
パチスロ機に設けられたメダルを貯留するクレジット機構のクレジット残数が零である場合に、該パチスロ機に併設されたメダル貸し機が貨幣投入を受け付けてメダル貸出処理を行い、このメダル貸出処理に応答して前記パチスロ機からメダルを貸し出すメダル貸出方法であって、
前記メダル貸し機が、前記クレジット残数が零でない状態で貨幣挿入口に貨幣が投入された場合に、該貨幣の投入行為を事前貸出予約行為とみなして装置内部の状態を貸出禁止状態から貸出準備状態に移行制御する制御工程と、
前記クレジット残数が零となった時点で前記貸出準備状態である場合に、メダル貸出処理を行う貸出処理工程と
を含んだことを特徴とするメダル貸出方法。
【請求項８】
パチスロ機に設けられたメダルを貯留するクレジット機構のクレジット残数が零である場合に、該パチスロ機と通信可能に併設されたメダル貸し機が度数若しくはメダル数を特定可能な情報が記憶された記録媒体を受け付けてメダル貸出処理を行うメダル貸し機に用いられるメダル貸出プログラムであって、
前記クレジット残数が零でない状態で前記パチスロ機に配設された貸出ボタンが操作された場合に、該貸出ボタンの操作を事前貸出予約行為とみなして装置内部の状態を貸出禁止状態から貸出準備状態に移行制御する制御手順と、
前記クレジット残数が零となった時点で前記貸出準備状態である場合に、メダル貸出処理を行う貸出処理手順と
をコンピュータに実行させることを特徴とするメダル貸出プログラム。
【請求項９】
パチスロ機に設けられたメダルを貯留するクレジット機構のクレジット残数が零である場合に、該パチスロ機に併設されたメダル貸し機が貨幣投入を受け付けてメダル貸出処理を行うメダル貸し機に用いられるメダル貸出プログラムであって、
前記クレジット残数が零でない状態で貨幣挿入口に貨幣が投入された場合に、該貨幣の投入行為を事前貸出予約行為とみなして装置内部の状態を貸出禁止状態から貸出準備状態に移行制御する制御手順と、
前記クレジット残数が零となった時点で前記貸出準備状態である場合に、メダル貸出処理を行う貸出処理手順と
をコンピュータに実行させることを特徴とするメダル貸出プログラム。
【発明の詳細な説明】
【技術分野】
【０００１】
本発明は、パチスロ機に設けられたメダルを貯留するクレジット機構のクレジット残数が零である場合に、該パチスロ機に併設されたメダル貸し機が度数若しくはメダル数を特定可能な情報が記憶された記録媒体を受け付けてメダル貸出処理を行い、このメダル貸出処理に応答してパチスロ機からメダルを貸し出すメダル貸出システム、メダル貸出方法及びメダル貸出プログラムに関し、特に、ＣＲユニットを配設されたパチスロ機からメダルを貸し出す場合に、円滑かつ効率的にメダル貸しを行うことができるメダル貸出システム、メダル貸出方法及びメダル貸出プログラムに関する。
【背景技術】
【０００２】
従来、いわゆるパチスロ機と呼ばれるパチスロ機には、特許文献１に記載されるように、パチスロ遊技に必要なメダルを貸し出すメダル貸し機が併設されており、遊技者は、このメダル貸し機に紙幣を投入してメダルを借り受けるとともに、借り受けたメダルをパチスロ機に投入してパチスロ遊技を行っていた。
【０００３】
このように、パチスロ遊技を行う場合には、貨幣をメダル貸し機に投入して該メダル貸し機からメダルを借り受けるのが一般的であったが、最近の規制緩和に伴って、遊技者が借り受けるメダルをパチスロ機本体から投出するＣＲパチスロ機の登場が予想されている。
【０００４】
かかるＣＲパチスロ機では、遊技者があらかじめ購入したプリペイドカード若しくは現金をメダル貸し機に投入した後に該メダル貸し機に配設された貸出ボタンを遊技者が押下すると、ＣＲパチスロ機本体からメダルが投出されることになる。具体的には、現在のＣＲパチンコ機に配設されるＣＲユニットをパチスロ機に組み込んだ場合を考えると、ＣＲパチスロ機に設けられたクレジット（メダル貯留機構）が０となった場合にパチスロ機からメダル貸し機に送出される貸出許可信号がオンとなり、メダル貸し機側での貨幣の受け入れ並びにカードからのメダル貸しが許可される。なお、ここで言うクレジットとは、遊技者がパチスロ遊技を行う都度メダルをパチスロ機へと投入する手間を省くために設けられた機構であり、通常５０枚のクレジットをパチスロ機内部に貯留させ、メダル投入ボタンの押下によって人手によるメダル投入と同様の機能を果たさせるものである。
【０００５】
【特許文献１】特開２００３−１３５６７２号公報
【特許文献２】特許第２７１４７７７号公報
【発明の開示】
【発明が解決しようとする課題】
【０００６】
しかしながら、上記従来技術によれば、クレジットが０にならないとメダル貸し機への貨幣の挿入並びにカードからのメダル貸しが不許可になるので、遊技者が円滑なパチスロ遊技を行うことができないという問題がある。具体的には、遊技者がメダルを借り受けたい場合には、残りクレジットを消化して一旦クレジットを０とした後に、あらためてメダルを借り受ける必要があるので、遊技者が新たにメダルを借り受けるまでにタイムラグが生じてしまうのである。
【０００７】
加えて、クレジットが０にならないとメダル貸し機への貨幣の挿入並びにカードからのメダル貸しが不許可になるということは、遊技者は追加入金やメダル貸しを受ける場合にクレジットが０であるか否かを常に確認する必要があり、遊技者に無用な確認作業を強いる結果となってしまう。
【０００８】
このため、ＣＲユニットを配設されたパチスロ機からメダルを貸し出す場合に、円滑かつ効率的なメダル貸しをいかにして実現するかが重要な課題となっている。なお、上記特許文献２には、クレジットが０である場合にクレジット投入ボタンがベットされると、１単位分（３枚）のメダルをパチスロ遊技に使えるようにしたプリペイドカード式供給機併設遊技機が開示されているが、この特許文献２のものは、クレジット投入ボタンをベットがされると即座に１単位分（３枚）のメダルが貸し出されてしまうため、遊技者がいきおいでクレジット投入ボタンをベットした場合のように意図しないメダル貸しを行ってしまうという問題がある。特に、この特許文献２のものは、１単位分（３枚）のメダルしか貸し出さない場合はさておき、通常の貸出枚数（５０枚）を貸し出す場合に適用するのは問題である。
【０００９】
この発明は、上記課題（問題点）に鑑みてなされたものであり、パチスロ機からメダルを貸し出す場合に、円滑かつ効率的にメダル貸しを行うことができるメダル貸出システム、メダル貸出方法及びメダル貸出プログラムを提供することを目的とする。
【課題を解決するための手段】
【００１０】
上述した課題を解決するため、本発明は、パチスロ機に設けられたメダルを貯留するクレジット機構のクレジット残数が零である場合に、該パチスロ機と通信可能に併設されたメダル貸し機が度数若しくはメダル数を特定可能な情報が記憶された記録媒体を受け付けてメダル貸出処理を行い、このメダル貸出処理に応答して前記パチスロ機からメダルを貸し出すメダル貸出システムであって、前記メダル貸し機は、前記クレジット残数が零でない状態で前記パチスロ機に配設された貸出ボタンが操作された場合に、該貸出ボタンの操作を事前貸出予約行為とみなして装置内部の状態を貸出禁止状態から貸出準備状態に移行制御する制御手段と、前記クレジット残数が零となった時点で前記貸出準備状態である場合に、メダル貸出処理を行う貸出処理手段とを備えたことを特徴とする。
【００１１】
また、本発明は、上記発明において、前記制御手段は、前記パチスロ機に設けられた返却ボタンが操作された場合に、前記記録媒体を返却処理するとともに前記貸出準備状態から前記貸出禁止状態に移行制御することを特徴とする。
【００１２】
また、本発明は、パチスロ機に設けられたメダルを貯留するクレジット機構のクレジット残数が零である場合に、該パチスロ機に併設されたメダル貸し機が貨幣投入を受け付けてメダル貸出処理を行い、このメダル貸出処理に応答して前記パチスロ機からメダルを貸し出すメダル貸出システムであって、前記メダル貸し機は、前記クレジット残数が零でない状態で貨幣挿入口に貨幣が投入された場合に、該貨幣の投入行為を事前貸出予約行為とみなして装置内部の状態を貸出禁止状態から貸出準備状態に移行制御する制御手段と、前記クレジット残数が零となった時点で前記貸出準備状態である場合に、メダル貸出処理を行う貸出処理手段とを備えたことを特徴とする。
【００１３】
また、本発明は、上記発明において、前記制御手段は、前記貸出準備状態においては、前記貨幣挿入口に挿入された貨幣を返却可能な状態で一時保留するよう制御するとともに、所定の返却ボタンが操作された場合に、一時保留した貨幣を返却処理するとともに前記貸出準備状態から前記貸出禁止状態に移行制御することを特徴とする。
【００１４】
また、本発明は、上記発明において、前記制御手段は、前記貸出準備状態においては、前記パチスロ機によりメダルが貸し出された時点で、前記貸出準備状態から前記貸出禁止状態に移行制御することを特徴とする。
【００１５】
また、本発明は、パチスロ機に設けられたメダルを貯留するクレジット機構のクレジット残数が零である場合に、該パチスロ機と通信可能に併設されたメダル貸し機が度数若しくはメダル数を特定可能な情報が記憶された記録媒体を受け付けてメダル貸出処理を行い、このメダル貸出処理に応答して前記パチスロ機からメダルを貸し出すメダル貸出方法であって、前記メダル貸し機が、前記クレジット残数が零でない状態で前記パチスロ機に配設された貸出ボタンが操作された場合に、該貸出ボタンの操作を事前貸出予約行為とみなして装置内部の状態を貸出禁止状態から貸出準備状態に移行制御する制御工程と、前記クレジット残数が零となった時点で前記貸出準備状態である場合に、メダル貸出処理を行う貸出処理工程とを含んだことを特徴とする。
【００１６】
また、本発明は、パチスロ機に設けられたメダルを貯留するクレジット機構のクレジット残数が零である場合に、該パチスロ機に併設されたメダル貸し機が貨幣投入を受け付けてメダル貸出処理を行い、このメダル貸出処理に応答して前記パチスロ機からメダルを貸し出すメダル貸出方法であって、前記メダル貸し機が、前記クレジット残数が零でない状態で貨幣挿入口に貨幣が投入された場合に、該貨幣の投入行為を事前貸出予約行為とみなして装置内部の状態を貸出禁止状態から貸出準備状態に移行制御する制御工程と、前記クレジット残数が零となった時点で前記貸出準備状態である場合に、メダル貸出処理を行う貸出処理工程とを含んだことを特徴とする。
【００１７】
また、本発明は、パチスロ機に設けられたメダルを貯留するクレジット機構のクレジット残数が零である場合に、該パチスロ機と通信可能に併設されたメダル貸し機が度数若しくはメダル数を特定可能な情報が記憶された記録媒体を受け付けてメダル貸出処理を行うメダル貸し機に用いられるメダル貸出プログラムであって、前記クレジット残数が零でない状態で前記パチスロ機に配設された貸出ボタンが操作された場合に、該貸出ボタンの操作を事前貸出予約行為とみなして装置内部の状態を貸出禁止状態から貸出準備状態に移行制御する制御手順と、前記クレジット残数が零となった時点で前記貸出準備状態である場合に、メダル貸出処理を行う貸出処理手順とをコンピュータに実行させることを特徴とする。
【００１８】
また、本発明は、パチスロ機に設けられたメダルを貯留するクレジット機構のクレジット残数が零である場合に、該パチスロ機に併設されたメダル貸し機が貨幣投入を受け付けてメダル貸出処理を行うメダル貸し機に用いられるメダル貸出プログラムであって、前記クレジット残数が零でない状態で貨幣挿入口に貨幣が投入された場合に、該貨幣の投入行為を事前貸出予約行為とみなして装置内部の状態を貸出禁止状態から貸出準備状態に移行制御する制御手順と、前記クレジット残数が零となった時点で前記貸出準備状態である場合に、メダル貸出処理を行う貸出処理手順とをコンピュータに実行させることを特徴とする。
【発明の効果】
【００１９】
本発明によれば、クレジット残数が零でない状態でパチスロ機に配設された貸出ボタンが操作された場合に、メダル貸し機が、該貸出ボタンの操作を事前貸出予約行為とみなして装置内部の状態を貸出禁止状態から貸出準備状態に移行制御するとともに、クレジット残数が零となった時点で貸出準備状態である場合に、メダル貸出処理を行うよう構成したので、貸出ボタンの操作をトリガとするメダル貸し機内の状態遷移を利用してメダルを借り受けるまでのタイムラグを低減し、もって円滑かつ効率的にメダル貸しを行うことができるという効果を奏する。
【００２０】
また、本発明によれば、パチスロ機に設けられた返却ボタンが操作された場合に、記録媒体を返却処理するとともに貸出準備状態から貸出禁止状態に移行制御するよう構成したので、すでに貸出準備状態にあった場合でも返却ボタン操作によって貸出禁止状態に状態遷移させることができる。
【００２１】
また、本発明によれば、メダル貸し機が、クレジット残数が零でない状態で貨幣挿入口に貨幣が投入された場合に、該貨幣の投入行為を事前貸出予約行為とみなして装置内部の状態を貸出禁止状態から貸出準備状態に移行制御するとともに、クレジット残数が零となった時点で貸出準備状態である場合に、メダル貸出処理を行うよう構成したので、貨幣の投入行為をトリガとするメダル貸し機内の状態遷移を利用してメダルを借り受けるまでのタイムラグを低減し、もって円滑かつ効率的にメダル貸しを行うことができるという効果を奏する。
【００２２】
また、本発明によれば、貸出準備状態においては、貨幣挿入口に挿入された貨幣を返却可能な状態で一時保留するよう制御するとともに、所定の返却ボタンが操作された場合に、一時保留した貨幣を返却処理するとともに貸出準備状態から貸出禁止状態に移行制御するよう構成したので、すでに貸出準備状態にあった場合でも返却ボタン操作によって貸出禁止状態に状態遷移させることができる。
【００２３】
また、本発明によれば、貸出準備状態においては、パチスロ機によりメダルが貸し出された時点で、貸出準備状態から貸出禁止状態に移行制御するよう構成したので、メダル貸しによって初期状態（貸出禁止状態）へ状態遷移させ、もって遊技者の意図しないメダル貸しが発生する可能性を低減することができる。
【発明を実施するための最良の形態】
【００２４】
以下に添付図面を参照して、本発明に係るメダル貸出システム、メダル貸出方法及びメダル貸出プログラムの好適な実施例を詳細に説明する。なお、以下に示す実施例１では、事前に購入したプリペイドカードで遊技する場合（貸出ボタン押下を意思表示とみなす場合）を説明し、実施例２では、現金投入時にその現金分のメダルを自動投出する場合（現金投入を意思表示とみなす場合）を説明することとする。
【実施例１】
【００２５】
まず、本実施例１に係るパチスロ機およびメダル貸し機の外観並びにメダル貸し機の内部構成について説明する。図１は、本実施例１に係るパチスロ機１００およびメダル貸し機２００の外観を示す正面図であり、図２は、図１に示したメダル貸し機２００の内部構成を示すブロック図である。
【００２６】
図１に示すパチスロ機１００およびメダル貸し機２００は、それぞれ「島」と呼ばれるグループごとに店内に並設され、この島には図示しないカード発行機、カード更新機およびカード精算機等が適宜設けられている。
【００２７】
パチスロ機１００は、遊技媒体であるメダルをメダル投入口に投入して遊技者が遊技をおこなう遊技機であり、パチンコ機と異なりクレジット機能が設けられている。このクレジット機能とは、遊技者の操作性を高めるために設けられた機能であり、例えば一定の絵柄が揃った場合に、メダルを受け皿に払い出すのではなく、このメダルを内部保留する機能である。具体的には、実際のメダルを保留するのではなく、払い出されるメダルの枚数をカウンタで記憶し、このカウンタの枚数分は、遊技者がメダルを投入しなくとも遊技できるようにしている。クレジットに保留された３枚のメダルを投入する３枚掛けボタンを押してスタートレバーを操作すると、３枚掛けの遊技が可能となる。これらのことから、かかるパチスロ機１００には、カウンタの値であるクレジット枚数を表示するクレジット表示部が設けられている。
【００２８】
また、このパチスロ機１００は、プリペイドカードを使って遊技するＣＲパチスロ機であり、貨幣を使ってメダルを借り受けるのではなく、プリペイドカードをメダル貸し機２００に挿入して、メダルを借り受ける。このため、プリペイドカードの残度数に関する情報を表示するカード表示部が設けられている。
【００２９】
このパチスロ機１００には、プリペイドカード関連の操作部として、貸出ボタン１０１および返却ボタン１０２が設けられ、プリペイドカードの残度数を表示する表示部としてカード表示部１０３が設けられている。この貸出ボタン１０１は、メダルの貸し出しを受ける際に遊技者がオン操作するボタンスイッチであり、返却ボタン１０２は、メダル貸し機２００に取り込まれたプリペイドカードを返却する際に利用者によってオン操作されるボタンスイッチである。これら貸出ボタン１０１および返却ボタン１０２のオン操作検出信号は、それぞれ後述するメダル貸し機２００の主制御部２１０に与えられることになる。
【００３０】
そして、このパチスロ機１００では、メダル投入口１０４に１〜３枚のメダルを投入してスタートレバー１０５が操作されると、３つのドラム１０６〜１０８がそれぞれ回転し、遊技者により各ドラムのストップボタン１０９〜１１１が押下されるとドラム１０６〜１０８が停止する。また、クレジット表示部１１２にメダル枚数が残っている場合には、遊技者がクレジット投入ボタン１１３〜１１５のいずれかを押してスタートレバー１０５を操作すると、メダル投入口１０４に１〜３枚のメダルを投入してスタートレバー１０５を操作した場合と同様に、３つのドラム１０６〜１０８がそれぞれ回転する。
【００３１】
なお、１枚のメダルを投入してゲームをおこなう１枚掛けの場合には中央横一列のみが対象となり、２枚のメダルを投入してゲームをおこなう２枚掛けの場合には横３列が対象となり、３枚のメダルとを投入してゲームをおこなう３枚掛けの場合には横３列および斜め２列の合計５列が対象となる。通常は、この３枚掛けでパチスロ遊技がおこなわれる。
【００３２】
そして、この対象領域に一定の絵柄が揃うと、払い出し表示部１１６に表示された枚数のメダルが払い出される。具体的には、このメダルは直ちに受け皿１１７に払い出されるわけではなく、クレジットとして内部保留され、クレジット表示部１１２の表示内容がメダル枚数分だけ加算される。
【００３３】
また、このパチスロ機１００には、その内部に図示しないメダル投出部が設けられている。このメダル投出部は、メダル貸し機２００の主制御部２１０からメダル投出指示が与えられた場合並びにパチスロ機１００の図示せぬ制御部からメダル投出指示が与えられた場合に、パチスロ機１００の受け皿１１７にメダルを投出する。また、クレジットの上限値を超える場合にも、受け皿１１７にメダルを投出する。
【００３４】
次に、図１に示したメダル貸し機２００について図１及び図２を用いて説明する。このメダル貸し機２００は、挿入されたプリペイドカードの残度数の範囲内でメダル貸出処理を行う処理機であり、その前面パネルに、カードランプ２０１、現金ランプ２０２及び種別ランプ２０５（以下「ランプ部」と総称する）と、金額表示部２０６（以下「表示部」とも言う）と、返却レバー２０４及び金額設定ボタン２０７（以下「操作部」と総称する）と、紙幣投入口２０３と、カード挿入口２０９とを有している。なお、現金に係る機構を有する理由は、プリペイドカードの残度数が０となった場合に、このプリペイドカードに現金で価値付けできるようにするためである。
【００３５】
カードランプ２０１および現金ランプ２０２は、図２に示した主制御部２１０からの制御信号に基づいて点灯し、プリペイドカードおよび現金の受け付け可能状態を利用者に報知するためのものである。紙幣投入口２０３は、紙幣を受け入れてこれを図２に示したＢＶ（ビルバリ）ユニット部２１１に取り込むための開口である。ＢＶユニット部２１１は、取り込まれた紙幣の金種を識別し、この識別結果を主制御部２１０に与えるとともに、取り込んだ紙幣を島端回収ボックスに搬出させるべく紙幣搬送路２１２へ導出する部分である。
【００３６】
返却レバー２０４は、投入した貨幣を返却するためのものである。種別ランプ２０５は、貸し出す遊技媒体の種類、つまりパチンコ玉およびメダルのいずれを貸し出すかを点灯表示するためのものである。ここではパチスロ機１００の台間にメダル貸し機２００として配設されているので、メダルの点灯表示がなされる。
【００３７】
金額表示部２０６は、挿入されたプリペイドカードの残度数を表示する表示部であり、金額設定ボタン２０７は、パチスロ機１００の貸出ボタンを１回操作する毎に貸し出されるメダルの枚数（貸し出し単位）を利用者が設定するためのものである。カード挿入口２０９は、プリペイドカードを受け入れてこれを図２に示したカード読取部２１３に取り込むための開口である。カード読取部２１３は、取り込んだカードを読み取り、その読み取り結果を主制御部２１０に与える処理をおこなう部分である。
【００３８】
主制御部２１０は、図２に示したように島コントローラ２２０を介してターミナルコントローラ２３０と接続されている。このターミナルコントローラ２３０は、各遊技店に少なくとも１台設置してあり、設置した遊技店の統括管理、例えばカード管理、会員の管理、売上管理等をおこなうとともに、プリペイドカードの度数を記憶管理する上位装置である。
【００３９】
具体的には、遊技者がパチスロ機１００の貸出ボタン１０１を押下したならば、このオン操作検出信号がパチスロ機１００からメダル貸し機２００の主制御部２１０に伝えられ、メダル貸し機２００がターミナルコントローラ２３０にプリペイドカードの残度数を問い合わせる。そして、プリペイドカードの残度数がある場合には、メダル貸し機２００の主制御部２１０は、ターミナルコントローラ２３０に当該プリペイドカードの残度数の減算指示を行うとともに、パチスロ機１００へメダル投出指示を行うことになる。なお、かかるターミナルコントローラ２３０とメダル貸し機２００の処理については特開２００３−１３５６７２号公報などにその詳細が記述されている。
【００４０】
モード管理部２１６は、メダル貸し機２００の状態（モード）を管理する管理部である。図３に示したように、本発明に係るメダル貸し機２００は、メダル貸しを行わない貸出禁止モード３１０と、遊技者により貸出準備行為が行われた際に移行するモードであり、クレジットが０となった時点で直ちに貸出処理に移行する貸出準備モード３２０と、実際にターミナルコントローラ２３０とのやりとりを行って貸出処理を行う貸出処理モード３３０という３つの異なる状態（モード）を有している。本実施例１では、かかる貸出準備モード３２０と呼ぶ今までにない新たな状態（モード）を設けることにより、遊技者が新たにメダルを借り受ける際に生ずるタイムラグを低減している。
【００４１】
具体的には、プリペイドカードの残度数がある場合には、遊技者がパチスロ機１００の貸出ボタン１０１を押下することによってパチスロ機１００からメダルを投出することが本来可能なわけであるが、実際には、パチスロ機１００のクレジット表示部１１２の表示が０にならないとメダル貸しが許可されない。このため、従来は、クレジット表示部１１２の表示が０でない状況で遊技者が貸出ボタン１０１を押下したとしてもかかる操作行為は無視され（本発明の「貸出禁止モード３１０」に対応）、クレジット表示部１１２の表示が０となった後に遊技者が貸出ボタン１０１を押下して初めてメダルの貸出を受け付けることが可能となり（本発明の「貸出処理モード３３０」に対応）、結果的に遊技者が新たにメダルを借り受けるまでにタイムラグが生じてしまうという問題が生じていた。
【００４２】
このため、本実施例１では、かかるタイムラグをなくすために、クレジット表示部１１２の表示が０でない状況で貸出ボタン１０１が押下されると、この貸出ボタン１０１の押下行為を貸出準備行為とみなして貸出準備モード３２０に移行させ、この貸出準備モード３２０下でクレジット表示部１１２の表示が０となったならば直ちにメダル貸し処理を行うよう構成したので、かかるタイムラグを低減できるとともに、遊技者が無駄に貸出ボタン１０１を押下する行為を解消することができる。
【００４３】
図３は、図１及び図２に示したメダル貸し機２００の状態遷移を示す状態遷移図である。すでに説明したように、メダル貸し機２００のモード管理部２１６では、貸出禁止モード３１０、貸出準備モード３２０及び貸出処理モード３３０という３状態の状態遷移を司っており、現モードがいずれであるかを主制御部２１０に通知することとしている。
【００４４】
貸出禁止モード３１０は、初期状態並びにメダル貸しが禁止されている状態を含むモードであり、具体的には、プリペイドカードが挿入されていない場合及びプリペイドカードが挿入されているがクレジットが０である場合（初期状態）並びにクレジットが０でない場合（禁止状態）には、この貸出禁止モード３１０に滞在する。そして、遊技者がパチスロ機１００の貸出ボタン１０１を押下した際に、クレジットが０でなければ貸出準備モード３２０に移行する。たとえクレジットが０でなくとも、遊技者がパチスロ機１００の貸出ボタン１０１を押下したならば、かかる行為を貸出準備行為として遊技者の貸出意思を尊重するためである。
【００４５】
なお、従来はクレジットが０でない状況で貸出ボタン１０１が押下されても無視されていた（言い換えると、従来はかかる貸出禁止モード３１０のうちの初期状態からしか貸出処理モード３３０に移行することができず、該貸出禁止モード３１０の禁止状態（クレジット有り状態）からは貸出処理モード３３０に移行することができなかった）ので、遊技者はクレジット残高が有る場合にわざわざクレジットを０とする行為を常に行ってから貸出ボタン１０１を改めて押下する必要があり、その結果生ずるタイムラグによって円滑なパチスロ遊技が阻害されていた。
【００４６】
この貸出準備モード３２０に移行したならば、クレジットが０でない限り当該貸出準備モード３２０に滞在し、クレジットが０となった時点で直ちに貸出処理モード３３０に移行する。なお、この貸出準備モード３２０滞在中にプリペイドカードの返却ボタン１０２が押下されたならば、貸出禁止モード３１０に移行する。
【００４７】
この貸出処理モード３３０に移行した後は、メダル貸しを終えた後に貸出禁止モード３１０に復帰する。また、連続したメダル貸しを可能にするために、貸出処理モード３３０滞在中に貸出ボタン１０１が押下された場合には、再び貸出準備モード３２０に移行させる。さらに、貸出禁止モード３１０滞在中にクレジットが０となり、その後貸出ボタン１０１が押下された場合には、従来と同様に直接貸出処理モード３３０に移行させる。
【００４８】
このように、従来から、クレジットが０となった時点でパチスロ機１００からメダル貸し機２００に貸出処理の許可信号が出力されるわけであるが、かかる状態遷移を行わせることで、クレジットが０となった時点で直ちに貸出ボタン１０１の押下が有効化され、メダル貸し機２００がターミナルコントローラ２３０への残度数の確認や減算指示などの貸出処理を開始できるので、円滑にメダル貸しを行うことができるのである。
【００４９】
次に、図１に示したパチスロ機１００とメダル貸し機２００の処理手順について図４を用いて説明する。なお、従来技術との差異を明確にするため、従来技術での処理手順を図４−１で示し、本実施例１での処理手順を図４−２で示している。
【００５０】
図４−１に示すように、従来技術では、パチスロ機１００のクレジットが０でない場合には、メダル貸し機２００に対してメダル貸禁止信号が送出され（ステップＳ３０１）、メダル貸し機２００での貸出処理は禁止される。また、かかるクレジットが０でない状況で貸出ボタン１０１が押下されると、貸出ボタン押下信号がメダル貸し機２００に送出されるが（ステップＳ３０２）、メダル貸し機２００ではかかる貸出ボタン押下信号が無視される。以前として貸出処理が禁止されているからである。
【００５１】
その後、クレジットが０になると、パチスロ機１００からメダル貸し機２００にメダル貸許可信号が送出され（ステップＳ３０３）、メダル貸し機２００でのメダル貸しが許可される。その状況下で貸出ボタン１０１が押下されると、貸出ボタン押下信号がメダル貸し機２００に送出され（ステップＳ３０４）、メダル貸し機２００においてプリペイドカードの度数引落しなどの貸出処理が行われる。具体的には、ターミナルコントローラ２３０に当該プリペイドカードの残度数から貸出度数分を減算する指示をおこなうことになる。
【００５２】
その後、メダル貸し機２００は、パチスロ機１００に対してメダル貸指示信号を送出し（ステップＳ３０５）、パチスロ機１００は貸出枚数分をクレジット加算するメダル貸しを開始する。そして、クレジットが５０（１０００円分を貸し出す場合）となり貸出を完了したならば、メダル貸完了信号及びメダル貸禁止信号をメダル貸し機２００に送出し（ステップＳ３０６、Ｓ３０７）、メダル貸し機２００はメダル貸しを禁止する。
【００５３】
このように、従来技術では、クレジットが０でない状況ではいくらメダルの貸出ボタン１０１を押下したとしても無視され、クレジットが０となってはじめて貸出ボタン１０１の押下が有効とされていた。このため、遊技者はクレジットが０となったことを視認した後に貸出ボタン１０１を押下する必要があり、円滑な遊技が阻害されていたのである。
【００５４】
これに対して、本実施例１では、クレジットが０でない状況で貸出ボタン１０１が押下される行為を貸出準備行為とみなしてかかる行為を有効化し、クレジットが０となった時点で直ちに貸出処理を行うこととしている。
【００５５】
具体的には、図４−２に示すように、パチスロ機１００のクレジットが０でない場合には、メダル貸し機２００に対してメダル貸禁止信号が送出され（ステップＳ４０１）、メダル貸し機２００は貸出禁止モード３１０へ移行しメダルの貸出処理は禁止される。そして、かかるクレジットが０でない状況で貸出ボタン１０１が押下されると、貸出ボタン押下信号がメダル貸し機２００に送出され（ステップＳ４０２）、メダル貸し機２００は貸出禁止モード３１０から貸出準備モード３２０に移行する。
【００５６】
その後、クレジットが０になると、パチスロ機１００からメダル貸し機２００にメダル貸許可信号が送出され（ステップＳ４０３）、メダル貸し機２００は貸出準備モード３２０から貸出処理モード３３０に移行してプリペイドカードの度数引落しなどの貸出処理を開始する。
【００５７】
その後、メダル貸し機２００は、パチスロ機１００に対してメダル貸指示信号を送出し（ステップＳ４０４）、パチスロ機１００は貸出枚数分をクレジット加算するメダル貸しを開始する。そして、クレジットが５０（１０００円分を貸し出す場合）となり貸出を完了したならば、メダル貸完了信号をメダル貸し機２００に送出し（ステップＳ４０５）、メダル貸し機２００は貸出禁止モード３１０に移行してメダル貸しを禁止する。
【００５８】
上述してきたように、本実施例１では、モード管理部２１６が貸出禁止モード３１０、貸出準備モード３２０、貸出処理モード３３０という３つの状態（モード）を管理し、クレジットが０でない状況で貸出ボタン１０１が押下された場合には、かかる行為を貸出準備行為とみなして貸出禁止モード３１０から貸出準備モードに移行させ、クレジットが０となった時点で直ちに貸出処理モード３３０にさらに移行させるよう構成したので、貸出ボタン１０１の操作をトリガとするメダル貸し機２００内の状態遷移を利用してメダルを借り受けるまでのタイムラグを低減し、もって円滑かつ効率的にメダル貸しを行うことができる。
【実施例２】
【００５９】
ところで、上記実施例１では、貸出ボタン１０１の押下を貸出準備行為とみなす場合を説明したが、他の行為を貸出準備行為とみなして状態遷移させる場合に適用することもできる。具体的には、プリペイドカードがパチスロ機１００内部に内蔵され、このプリペイドカードに現金で度数を価値付ける場合には、この現金の投入行為を貸出準備行為とみなすことができる。そこで、本実施例２では、現金の投入行為を貸出準備行為とみなして状態遷移させる場合について説明することとする。
【００６０】
図５は、本実施例２に係るパチスロ機１００およびメダル貸し機５００の外観を示す正面図である。パチスロ機１００は、すでに説明した実施例１（図１）で示したものと同一のものであり、メダル貸し機５００については実施例１（図１）のものと異なる。
【００６１】
このメダル貸し機５００は、その内部にプリペイドカードを内蔵し、遊技者が現金投入口に投入した現金分の度数を該プリペイドカードに価値付け、価値付けた度数の範囲内でメダルの貸出処理を行う処理機である。このため、図５に示したように、このメダル貸し機５００には、紙幣投入口５０３と返却ボタン５０４しか設けられていない。ただし、図１に示したメダル貸し機５００のカード返却口２０９等を設けて残度数を有するプリペイドカードを排出するよう構成することもできる。なお、このメダル貸し機の内部構成は、図２に示したものと同様に形成される。
【００６２】
図６は、図５に示したメダル貸し機５００の状態遷移を示す状態遷移図である。同図に示すように、ここでは貸出禁止モード３１０から貸出準備モード３２０への移行条件が「貨幣受付」となっている点が図３に示した実施例１のものと異なる。
【００６３】
すなわち、このメダル貸し機５００は、クレジットが０でない場合には貸出禁止モード３１０を維持するが、この状況で紙幣投入口５０３から紙幣を受け付けると、貸出準備モードへと状態遷移する。すなわち、ここでは貨幣投入を貸出準備行為とみなして状態遷移のトリガとしているのである。
【００６４】
なお、紙幣の返却ボタン５０４が押下されると、紙幣投入口５０３から投入され一時保留された紙幣を返却するとともに、貸出準備モード３２０から貸出禁止モード３１０に状態遷移する。遊技者が遊技を継続しようとしていたが残りメダルで大当たりが発生した場合や、遊技者が思い直して遊技を止めようとした場合に対応するためである。また、貸出処理モード３３０で貸出処理中に貨幣を受け付けた場合も、同様に貸出準備モード３２０へ移行する。メダルの連続貸しを可能にするためである。
【００６５】
次に、図５に示したパチスロ機１００とメダル貸し機５００の処理手順について図７を用いて説明する。図７に示すように、パチスロ機１００のクレジットが０でない場合には、メダル貸し機５００に対してメダル貸禁止信号が送出され（ステップＳ８０１）、メダル貸し機５００は貸出禁止モード３１０へ移行しメダルの貸出処理は禁止される。そして、かかるクレジットが０でない状況でメダル貸し機５００が紙幣投入口５０３から紙幣（貨幣）を受け付けると、メダル貸し機５００は貸出禁止モード３１０から貸出準備モード３２０に移行する。
【００６６】
その後、クレジットが０になると、パチスロ機１００からメダル貸し機５００にメダル貸許可信号が送出され（ステップＳ８０２）、メダル貸し機５００は貸出準備モード３２０から貸出処理モード３３０に移行して度数引落しなどの貸出処理を開始する。
【００６７】
その後、メダル貸し機５００は、パチスロ機１００に対してメダル貸指示信号を送出し（ステップＳ８０３）、パチスロ機１００は貸出枚数分をクレジット加算するメダル貸しを開始する。そして、クレジットが５０（１０００円分を貸し出す場合）となり貸出を完了したならば、メダル貸完了信号をメダル貸し機５００に送出し（ステップＳ８０５）、メダル貸し機５００は貸出禁止モード３１０に移行してメダル貸しを禁止する。
【００６８】
上述してきたように、本実施例２では、貸出禁止モード３１０、貸出準備モード３２０、貸出処理モード３３０という３つの状態（モード）を管理しておき、クレジットが０でない状況で紙幣が投入された場合には、かかる行為を貸出準備行為とみなして貸出禁止モード３１０から貸出準備モードに移行させ、クレジットが０となった時点で直ちに貸出処理モード３３０にさらに移行させるよう構成したので、紙幣の受け付けをトリガとするメダル貸し機５００内の状態遷移を利用してメダルを借り受けるまでのタイムラグを低減し、もって円滑かつ効率的にメダル貸しを行うことができる。
【００６９】
ところで、上記実施例１及び２ではその詳細な説明を省略したが、実際に本発明を適用する場合には、クレジット残数が零でない状態でパチスロ機１００に配設された貸出ボタン１０１が操作された場合に、該貸出ボタン１０１の操作を事前貸出予約行為とみなして装置内部の状態を貸出禁止状態から貸出準備状態に移行制御するとともに、クレジット残数が零となった時点で貸出準備状態である場合に、メダル貸出処理を行うプログラムをメダル貸し機２００又は５００のメモリ（ＲＯＭ等）やハードディスクに格納しておき、かかるプログラムをＣＰＵにロードして実行して図２に示したモード管理部２１６として機能発揮させれば良い。
【００７０】
なお、本実施例２では、プリペイドカードをパチスロ機１００内に内蔵する場合を示したが、本発明はこれに限定されるものではなく、プリペイドカードを挿入した後追加入金して度数の価値付けを行う場合にも同様に適用できる。また、上記実施例１及び２では、プリペイドカードを対象とした場合を説明したが、本発明はこれに限定されるものではなく、会員カードを用いたパチスロ遊技の場合にも同様に適用することができる。
【００７１】
また、上記実施例１及び２では、貸出処理モード３３０でメダル貸しを行った結果クレジットを増加させ貸出禁止モード３１０（禁止状態）に移行する場合を示したが、かかる貸出処理モード３３０でメダル貸しを行った結果、パチスロ機若しくはメダル貸し機から現物のメダルを受け皿に払い出した場合であっても、貸出禁止モード３１０（禁止状態）に移行することになる。
【産業上の利用可能性】
【００７２】
本発明にかかるメダル貸出システム、メダル貸出方法及びメダル貸出プログラムは、パチスロ機からメダルを貸し出す場合に、円滑かつ効率的にメダル貸しを行う場合に有用である。
【図面の簡単な説明】
【００７３】
【図１】本実施例１に係るパチスロ機およびメダル貸し機の外観を示す正面図である。
【図２】図１に示したメダル貸し機の内部構成を示すブロック図である。
【図３】図１及び図２に示したメダル貸し機の状態遷移を示す状態遷移図である。
【図４−１】図１に示したパチスロ機とメダル貸し機の従来の処理手順を示すフローチャートである。
【図４−２】図１に示したパチスロ機とメダル貸し機の処理手順を示すフローチャートである。
【図５】本実施例２に係るパチスロ機およびメダル貸し機の外観を示す正面図である。
【図６】図５に示したメダル貸し機の状態遷移を示す状態遷移図である。
【図７】図５に示したパチスロ機とメダル貸し機の処理手順を示すフローチャートである。
【符号の説明】
【００７４】
１００  パチスロ機
１０１  貸出ボタン
１０２  返却ボタン
１０３  カード表示部
１０４  メダル投入口
１０５  スタートレバー
１０６〜１０８  ドラム
１０９〜１１１  ストップボタン
１１２  クレジット表示部
１１３〜１１５  クレジット投入ボタン
１１６  払い出し表示部
１１７  受け皿
２００  メダル貸し機
２２０  島コントローラ
２３０  ターミナルコントローラ
２０１  カードランプ
２０２  現金ランプ
２０３  紙幣投入口
２０４  返却レバー
２０５  種別ランプ
２０６  金額表示部
２０７  金額設定ボタン
２０９  カード挿入口
２１０  主制御部
２１１  ＢＶユニット部
２１２  紙幣搬送路
２１３  カード読取部
２１４  メモリ
２１６  モード管理部
３１０  貸出禁止モード
３２０  貸出準備モード
３３０  貸出処理モード
【図１】
2006192198.tif 000003
【図２】
2006192198.tif 000004
【図３】
2006192198.tif 000005
【図４−１】
2006192198.tif 000006
【図４−２】
2006192198.tif 000007
【図５】
2006192198.tif 000008
【図６】
2006192198.tif 000009
【図７】
2006192198.tif 000010